(57)【要約】    【課題】  使い勝ってのよい顕微鏡用フォーカスモータの取付装置を提供する。    【解決手段】  顕微鏡用フォーカスモータを保持する保持部材３１を備えている顕微鏡用フォーカスモータの取付装置において、一端部に顕微鏡用フォーカスモータを保持する保持部材３１が固定された板３０を顕微鏡１０の下面１０ｃとテーブル５の上面５ａとの間に配置し、板３０の上面３０ａに設けられた支持部材３６と押圧部材３７とによって顕微鏡１０の両側面１０ａ，１０ｂを挟持する。【選択図】      図１
2005140197.tif 000002
【特許請求の範囲】
【請求項１】
顕微鏡用フォーカスモータを保持する保持部材を備えている顕微鏡用フォーカスモータの取付装置において、
顕微鏡とこれが設置される設置面との間に配置され、前記保持部材が固定されたベースプレートと、
このベースプレート上に設けられ、前記顕微鏡の両側面を挟持する挟持手段と
を備えていることを特徴とする顕微鏡用フォーカスモータの取付装置。
【請求項２】
前記挟持手段は、前記ベースプレート上に設けられ、前記顕微鏡の一方の側面を支持する支持部材と、前記ベースプレート上に設けられ、前記一方の側面を前記支持部材に押圧する押圧手段とを有することを特徴とする請求項１記載の顕微鏡用フォーカスモータの取付装置。
【請求項３】
前記押圧手段は移動可能であることを特徴とする請求項１又は２記載の顕微鏡用フォーカスモータの取付装置。
【請求項４】
前記ベースプレート上に前記顕微鏡用フォーカスモータが配置され、前記顕微鏡用フォーカスモータは前記顕微鏡が有する微動用つまみの一部に接触し、前記顕微鏡用フォーカスモータの駆動力を前記微動用つまみに伝達する伝達部を有することを特徴とする請求項１記載の顕微鏡用フォーカスモータの取付装置。
【発明の詳細な説明】
【技術分野】
【０００１】
この発明は顕微鏡用フォーカスモータの取付装置に関する。
【背景技術】
【０００２】
光学顕微鏡では、粗動用つまみと微動用つまみとを用いてフォーカス調整を２段階で行っている。まず粗動用つまみを操作しておおよそのフォーカス調整を行った後、微動用つまみを操作して最終的なピント合わせを行う。
【０００３】
手動操作型の光学顕微鏡では上記のようにフォーカス調整は手動で行われる。しかし、この手動操作型の光学顕微鏡では使用者が顕微鏡に触れることによって振動が生じたり、カメラを使ってモニタ観察しながらフォーカス調整を行う操作が難しかったりするという問題があった。
【０００４】
この問題を解決するため、光学顕微鏡の付属品として顕微鏡用フォーカスモータを有する顕微鏡用フォーカスモータ取付装置を採用して、フォーカス調整用の微動用つまみを駆動するようにしたものが特開平７−２２４８５６号公報に開示されている。なお、公報に記載された従来の顕微鏡用フォーカスモータ取付装置は顕微鏡の粗動用つまみに取り付けられる構造となっており、粗動操作を行う場合には顕微鏡用フォーカスモータ取付装置を含むユニット全体が回転される。
【特許文献１】特開平７−２２４８５６号公報
【発明の開示】
【発明が解決しようとする課題】
【０００５】
しかし、前記ユニットにはコードが接続されているため、粗動用つまみと一体にユニットを回転させると、コードによってユニットの回転が妨げられ、粗動用つまみを操作することができなくなるおそれがある。
【０００６】
この発明はこのような事情に鑑みてなされたもので、その課題は使い勝手のよい顕微鏡用フォーカスモータの取付装置を提供することである。
【課題を解決するための手段】
【０００７】
上記課題を解決するため請求項１記載の発明は、顕微鏡用フォーカスモータを保持する保持部材を備えている顕微鏡用フォーカスモータの取付装置において、顕微鏡とこれが設置される設置面との間に配置され、前記保持部材が固定されたベースプレートと、このベースプレート上に設けられ、前記顕微鏡の両側面を挟持する挟持手段とを備えていることを特徴とする。
【０００８】
請求項２に記載の発明は、請求項１記載の顕微鏡用フォーカスモータの取付装置において、前記挟持手段は、前記ベースプレート上に設けられ、前記顕微鏡の一方の側面を支持する支持部材と、前記ベースプレート上に設けられ、前記一方の側面を前記支持部材に押圧する押圧手段とを有することを特徴とする。
【０００９】
請求項３に記載の発明は、請求項１又は２記載の顕微鏡用フォーカスモータの取付装置において、前記押圧手段は移動可能であることを特徴とする。
【００１０】
請求項４に記載の発明は、請求項１記載の顕微鏡用フォーカスモータの取付装置において、前記ベースプレート上に前記顕微鏡用フォーカスモータが配置され、前記顕微鏡用フォーカスモータは前記顕微鏡が有する微動用つまみの一部に接触し、前記顕微鏡用フォーカスモータの駆動力を前記微動用つまみに伝達する伝達部を有することを特徴とする。
【発明の効果】
【００１１】
この発明の顕微鏡用フォーカスモータの取付装置によれば、顕微鏡の使い勝手を向上させることができる。
【発明を実施するための最良の形態】
【００１２】
以下、この発明の実施の形態を図面に基づいて説明する。
【００１３】
図１はこの発明の一実施形態に係る顕微鏡用フォーカスモータの取付装置が装着された顕微鏡をテーブルに載置した状態を示す図である。
【００１４】
顕微鏡１０の一方の側面１０ａには再焦準部１１と粗動部１２と微動部１３とが設けられている。
【００１５】
顕微鏡１０の他方の側面１０ｂには粗動トルク調整部１６と粗動部１７と微動部１８とが設けられている。
【００１６】
また、この顕微鏡１０の下面１０ｃにはゴム足２０が取り付けられている。
【００１７】
この顕微鏡用フォーカスモータの取付装置は、板（ベースプレート）３０と保持部材３１と挟持部材（挟持手段）３５とを備えている。
【００１８】
板３０は顕微鏡１０の下面１０ｃとテーブル５の上面（設置面）５ａとの隙間に配置されている。
【００１９】
顕微鏡用フォーカスモータ（図示せず）を保持する保持部材３１は板３０の上面３０ａに固定されている。顕微鏡用フォーカスモータの回転軸３２の先端部にはゴムやプラスチック等の表面の摩擦が比較的大きな材料である円柱部材（伝達部）３３が固定されている。
【００２０】
なお、円柱部材３３の代わりにギヤを用い、これを微動部１３のギヤ（図示せず）と噛合させて微動部１３に回転力を伝えるようにしてもよい。
【００２１】
挟持部材３５は板３０の上面３０ａに設けられている。挟持部材３５は顕微鏡１０の両側面１０ａ，１０ｂを挟持する。
【００２２】
挟持部材３５は、顕微鏡１０の一方の側面１０ａを支持する支持部材３６と、一方の側面１０ｂを押圧する押圧部材（押圧手段）３７とを有する。
【００２３】
押圧部材３７は、板３０に固定されるブロック３７Ａと、このブロック３７Ａに螺合して板３０と水平に進退するねじ３７Ｂとで構成されている。
【００２４】
図２は顕微鏡の下面とテーブルの上面との間に配置される板の斜視図である。
【００２５】
板３０の一端側の２箇所を直角に折り曲げることによって２つの支持部材３６が形成されている。２つの支持部材３６は板３０の長手方向に直交する仮想直線上に位置する。支持部材３６の高さは顕微鏡１０の下面１０ｃとテーブル５の上面５ａとの隙間より大きい。
【００２６】
板３０の一端部には保持部材３１を板３０に図示しないねじで固定するための孔３４ａ，３４ｂが形成されている。また、板３０の他端部にはブロック３７Ａを板３０に図示しないねじで固定するための孔３４ｃ，３４ｄが形成されている。
【００２７】
なお、孔３４ｃ，３４ｄを板３０の長手方向へ延びる長孔とすれば、押圧部材３７を移動可能にすることができ、幅の異なる種々の顕微鏡１０を挟持することができる。
【００２８】
また、孔３４ｃ，３４ｄを形成せずにブロック３７Ａを接着剤で板３０に固定するようにしてもよい。
【００２９】
更に、板３０を磁性体で形成し、ブロック３７Ａを磁石とすることでブロック３７Ａを板３０に固定するようにしてもよい。
【００３０】
この顕微鏡用フォーカスモータの取付装置を使用するとき、支持部材３６が顕微鏡１０の一方の側面１０ａ側に、ブロック３７Ａが顕微鏡１０の他方の側面１０ｂ側にそれぞれ位置するように、保持部材３１やブロック３７Ａを固定した板３０の中間部を顕微鏡１０の下面１０ｃとテーブル５の上面５ａとの隙間に配置する。
【００３１】
次に、ねじ３７Ｂを締め込むことによって図１に示すように支持部材３６を顕微鏡１０の一方の側面１０ａに押し付け、ねじ３７Ｂと支持部材３６とで顕微鏡１０を挟み付ける。
【００３２】
このとき、円柱部材３３と一方の側面１０ａに設けられた微動部１３とが摩擦結合する。
【００３３】
その結果、顕微鏡用フォーカスモータの取付装置の顕微鏡１０への取付が完了する。
【００３４】
この顕微鏡用フォーカスモータの取付装置を取り付けた顕微鏡では、粗動部１２を手動で操作することによっておおよそのフォーカス調整を行った後、顕微鏡用フォーカスモータを駆動して微動部１３を回転させて最終的なピント合わせが行われる。
【００３５】
この実施形態によれば、顕微鏡１０を操作するとき従来例のようにコードによって粗動部が使いづらくなったり、使えなくなったりするおそれがないので、顕微鏡の使い勝手が向上する。
【００３６】
なお、円柱部材３３の高さ方向の位置を変えることができる構造とすれば、顕微鏡の使い勝手がより向上する。
【図面の簡単な説明】
【００３７】
【図１】図１はこの発明の一実施形態に係る顕微鏡用フォーカスモータの取付装置が装着された顕微鏡をテーブルに載置した状態を示す図である。
【図２】図２は顕微鏡の下面とテーブルの上面との間に配置される板の斜視図である。
【符号の説明】
【００３８】
５ａ  上面（設置面）
１０  顕微鏡
１０ａ，１０ｂ  側面
３０  板（ベースプレート）
３０ａ  上面
３１  保持部材
３３  円柱部材（伝達部）
３５  挟持部材（挟持手段）
３６  支持部材
３７  押圧部材（押圧手段）
【図１】
2005140197.tif 000003
【図２】
2005140197.tif 000004